(57)【要約】【課題】  容器口部から蓋の固定部分を取り外すことなく密封用の仕切り部材を取り除くことができ、しかも蓋の固定部分と一体に摺り切り具を形成しておくことができる摺り切り具付の蓋を提供すること。【解決手段】  容器としての開口部Ｃ１に嵌合固定される環状の固定枠体２１に摺り切り具２２の一端部２２ａを係止する係止部２３を利き手に合せて２ヶ所設け、固定枠体２１と一体に形成される摺り切り具２２の他端部２２ｃを缶Ｃの仕切り部材Ｃ３を取り外すときに退避可能に連結形成するとともに、一端部２２ａを固定枠体２１に切り離し可能に連結形成しておき、この摺り切り具２２を仕切り部材Ｃ３の上方に収納して固定枠体２１を覆う蓋体２５を設けて構成する。  これにより、容器である缶口部Ｃ１から固定枠体２１を取り外すことなく密封用の仕切り部材Ｃ３を取り除くことができ、しかも固定枠体２１と一体に摺り切り具２２を形成しておくことができ、しかも利き手に合せてセットすることができる。【選択図】  図２
2005145542.tif 000002
【特許請求の範囲】
【請求項１】
容器の開口部近傍に不通気性の仕切り部材が備えられる容器に設けられ、周囲２点間を結ぶように摺り切り具が備えられて容器の開口部に設けられる摺り切り具付の蓋であって、前記摺り切り具の一端部を係止し得る係止部を複数箇所備えた環状の固定枠体を容器の開口部に嵌合固定して設け、この固定枠体に前記摺り切り具の他端部を前記仕切り部材を取り外すときに退避可能に連結して形成するとともに、前記摺り切り具の一端部を前記固定枠体に切り離し可能に連結して形成する一方、この摺り切り具を前記仕切り部材の上方に収納して前記固定枠体を覆って開閉可能な蓋体を設けたことを特徴とする摺り切り具付の蓋。
【請求項２】
前記固定枠体と前記蓋体とをヒンジを介して開閉可能に連結して形成したことを特徴とする請求項1記載の摺り切り具付の蓋。
【請求項３】
前記摺り切り具の前記他端部を前記固定枠体の前記ヒンジ部近傍に配置するとともに、前記摺り切り具の一端部を係止する前記係止部を利き手に合わせて２箇所形成したことを特徴とする請求項２記載の摺り切り具付の蓋。
【請求項４】
前記摺り切り具の前記他端部を、当該摺り切り具を上方に退避可能に前記固定枠体に連結して形成したことを特徴とする請求項１〜３のいずれかに記載の摺り切り具付の蓋。
【請求項５】
開口部上端に蓋を備えた容器の開口部近傍に胴部を内方に突出させて不通気性の仕切り部材を取り付ける略水平なつば部を設けるとともに、このつば部の先端から下方に前記胴部になめらかに連続するくびれ部を設けてなること特徴とする蓋付の容器。
【請求項６】
前記容器の前記つば部を、当該容器の開口部上端より計量用のスプーンを収納可能な高さ隔てた下方に配置してなることを特徴とする請求項５記載の蓋付の容器。
【請求項７】
前記蓋として、前記請求項１〜４のいずれかに記載の摺り切り具付の蓋を設けたことを特徴とする請求項５または６記載の蓋付の容器。
【発明の詳細な説明】
【技術分野】
【０００１】
この発明は摺り切り具付の蓋および蓋付の容器に関し、容器口部から蓋の固定用部分を取り外すことなく蓋の固定用部分と一体に形成した摺り切り具を退避させて密封用の仕切り部材を取り除き、この摺り切り具を周囲２点間を結んで配置して摺り切りもできる一方、仕切り部材を取り付けるためのつば部を設けても内容物を完全に取り出せるようにしたもので、特に粉ミルク等の容器やこの容器の蓋として好適なものである。
【背景技術】
【０００２】
従来から、粉粒体の計量、例えば粉ミルクなどの計量には、スプーンに掬い取ったものを摺り切って計量することが行われており、種々の摺り切り具が提案されている。
【０００３】
例えば、棒状の摺り切り具を開封した缶の内側に取り付けて摺り切りできるようにしていたが、これに代わり、特許文献1には、図４に示すように、摺り切り部１が架橋状に形成されているリング２と外蓋３とで構成し、さらにリング２と外蓋３とを接続片４で連接してあり、粉ミルクの場合には、防湿のための仕切り部材としてのアルミシールを取り除く必要から缶口部からリング２および外蓋３を一旦取り外し、アルミシールを取り除いた後、再びリング２および外蓋３を取り付け、外蓋３を開閉して使用するようにしている。
【０００４】
また、特許文献２には、図５に示すように、筒状蓋を固定用の固定蓋部５と、開閉用の開閉蓋部６とで構成し、開閉蓋部６を開いて、固定蓋部５の下面の摺り切り条７で摺り切ることができるようにしており、この場合にも固定蓋部５と開閉蓋部６を一旦取り外し、仕切り部材としてのアルミシールを取り除いた後、再び取り付けて、開閉蓋部６のみを開閉して使用するようにしている。
【０００５】
一方、このような摺り切り具や蓋が備えられる容器としての缶では、開口部近傍に防湿のためアルミシール等の不通気性の仕切り部材を取り付けることが行われており、このためアルミシールなどを取り付ける環状のつば部が必要となる。
【０００６】
例えば特許文献３では、図６に示すように、缶１０の缶胴部１１とは別に環状のつば部１２を備えた天蓋部１３を成形しておき、缶口部の巻き締め部１４に重ねて巻き締めることで設け、この環状のつば部１２にアルミシール１５を取り付けるようにしている。
【０００７】
また、特許文献４では、図７に示すように、缶１６の缶胴部１７を内側に突き出すようにして折り重ねて環状のつば部１８を一体に形成して設け、この環状のつば部１８に図示しないアルミシールを取り付けるようにしている。
【特許文献１】特開平９−７７１３４号公報
【特許文献２】特開平２０００−２８１１１６号公報
【特許文献３】特開平７−２３２７７８号公報
【特許文献４】特開平１１−２１６５２８号公報
【発明の開示】
【発明が解決しようとする課題】
【０００８】
しかしながら、摺り切り具付の蓋については、上記のリング２と外蓋３で構成したものや固定蓋部５と開閉蓋部６とで構成したもののいずれでも、使用開始時に、防湿のため取り付けてあるアルミシールなどを取り除く必要があり、缶口部からリング２と外蓋３や固定蓋部５および開閉蓋部６(以下、これらの部材２，３，５，６を蓋部分全体という。)を一旦取り外さなければならず、大きな蓋部分全体の取り外しや取り付けが煩雑であるという問題がある。
【０００９】
さらに、蓋部分全体を缶から完全に取り外すことから、使用開始時の１回であるが、粉ミルクの場合などには、取り外した蓋部分全体を衛生的な場所に置かねばならいないという問題もある。
【００１０】
また、一旦アルミシールを取り除いた後保存用の開閉蓋として利用するため缶口部に再取り付けするが、この場合の嵌合力が小さくなって蓋部分全体を持ったときに缶が落下してしまう恐れがあるという問題がある。
【００１１】
一方、缶等の容器については、アルミシールなどの仕切り部材を取り付ける環状のつば部１２，１８が別体や一体のいずれの場合でも容器の缶胴部１１、１７内に水平に突き出ているため、粉ミルクなどの粉粒体を完全に取り出そうとして傾けたり、逆にしてもつば部１２、１８に引っかかって完全に取り出すことができないという問題がある。
【００１２】
この発明は、上記従来技術の課題に鑑みてなされたもので、容器口部から蓋の固定部分を取り外すことなく密封用の仕切り部材を取り除くことができ、しかも蓋の固定部分と一体に摺り切り具を形成しておくことができる摺り切り具付の蓋を提供しようとするものである。
【００１３】
また、この発明は、上記従来技術の課題に鑑みてなされたもので、密封用の仕切り部材を取り付けるための環状のつば部を形成しても内容物を完全に取り出すことができる蓋付の容器を提供しようとするものである。
【課題を解決するための手段】
【００１４】
上記従来技術の有する課題を解決するためこの発明の請求項１記載の摺り切り具付の蓋は、容器の開口部近傍に不通気性の仕切り部材が備えられる容器に設けられ、周囲２点間を結ぶように摺り切り具が備えられて容器の開口部に設けられる摺り切り具付の蓋であって、前記摺り切り具の一端部を係止し得る係止部を複数箇所備えた環状の固定枠体を容器の開口部に嵌合固定して設け、この固定枠体に前記摺り切り具の他端部を前記仕切り部材を取り外すときに退避可能に連結して形成するとともに、前記摺り切り具の一端部を前記固定枠体に切り離し可能に連結して形成する一方、この摺り切り具を前記仕切り部材の上方に収納して前記固定枠体を覆って開閉可能な蓋体を設けたことを特徴とするものである。
【００１５】
この摺り切り具付の蓋によれば、容器の開口部近傍に不通気性の仕切り部材が備えられる容器に設けられ、周囲２点間を結ぶように摺り切り具が備えられて容器の開口部に設けられる摺り切り具付の蓋で、前記摺り切り具の一端部を係止し得る係止部を複数箇所備えた環状の固定枠体を容器の開口部に嵌合固定して設け、この固定枠体に前記摺り切り具の他端部を前記仕切り部材を取り外すときに退避可能に連結して形成するとともに、前記摺り切り具の一端部を前記固定枠体に切り離し可能に連結して形成する一方、この摺り切り具を前記仕切り部材の上方に収納して前記固定枠体を覆って開閉可能な蓋体を設けて構成してあり、固定枠体を容器の口部に嵌合固定したまま一体に形成された摺り切り具の他端部を連結した状態で退避させて仕切り部材を取り外すようにし、切り離した一端部を固定枠体の複数の係止部のいずれかに係止して周囲２点間を結んで配置することで摺り切り具として機能させるようにし、これらを蓋体で覆うようにすることで、容器口部から固定枠体を取り外すことなく密封用の仕切り部材を取り除くことができ、しかも固定枠体と一体に摺り切り具を形成しておくことができるようになる。
【００１６】
また、この発明の請求項２記載の摺り切り具付の蓋は、請求項１記載の構成に加え、前記固定枠体と前記蓋体とをヒンジを介して開閉可能に連結して形成したことを特徴とするものである。
【００１７】
この摺り切り具付の蓋によれば、前記固定枠体と前記蓋体とをヒンジを介して開閉可能に連結して形成してあり、蓋体も取り外して別置きにする必要がなく、置き場所を考慮することなく常に衛生的に保つことができるとともに、片手で開閉できるようになる。
【００１８】
さらに、この発明の請求項３記載の摺り切り具付の蓋は、請求項２記載の構成に加え、前記摺り切り具の前記他端部を前記固定枠体の前記ヒンジ部近傍に配置するとともに、前記摺り切り具の一端部を係止する前記係止部を利き手に合わせて２箇所形成したことを特徴とするものである。
【００１９】
この摺り切り具付の蓋によれば、前記摺り切り具の前記他端部を前記固定枠体の前記ヒンジ部近傍に配置するとともに、前記摺り切り具の一端部を係止する前記係止部を利き手に合わせて２箇所形成するようにしており、摺り切り具を利き手に合わせて２箇所の係止部のいずれかに係止することで、利き手に合せて摺り切り具の位置を変えるために容器の向きなどを変えることなく、片手で蓋を開らいた状態のまま内容物を取り出して摺り切りができるようになり、一層使い易くなる。
【００２０】
また、この発明の請求項４記載の摺り切り具付の蓋は、請求項１〜３のいずれかに記載の構成に加え、前記摺り切り具の前記他端部を、当該摺り切り具を上方に退避可能に前記固定枠体に連結して形成したことを特徴とするものである。
【００２１】
この摺り切り具付の蓋によれば、前記摺り切り具の前記他端部を、当該摺り切り具を上方に退避可能に前記固定枠体に連結して形成するようにしており、固定枠体に一体に摺り切り具が形成してあっても一端部を切り離し、他端部を連結状態のまま上方に退避させて仕切り部材を取り除くことができ、切り離した一端部を係止することで摺り切り具を固定枠体にセットできるようになる。
【００２２】
さらに、この発明の請求項５記載の蓋付の容器は、開口部上端に蓋を備えた容器の開口部近傍に胴部を内方に突出させて不通気性の仕切り部材を取り付ける略水平なつば部を設けるとともに、このつば部の先端から下方に前記胴部になめらかに連続するくびれ部を設けてなること特徴とするものである。
【００２３】
この蓋付の容器によれば、開口部上端に蓋を備えた容器の開口部近傍に胴部を内方に突出させて不通気性の仕切り部材を取り付ける略水平なつば部を設けるとともに、このつば部の先端から下方に前記胴部になめらかに連続するくびれ部を設けて構成してあり、ほぼ水平に突出させたつば部に仕切り部材を取り付けることができるようにし、しかもこのつば部より下方のくびれ部を円弧状や曲面状、傾斜面状などとしてなめらかに胴部と連続するようにすることで、内容物が引っかかることなく最後まで円滑に取り出せるようにしている。
【００２４】
また、この発明の請求項６記載の蓋付の容器は、請求項５記載の構成に加え、前記容器の前記つば部を、当該容器の開口部上端より計量用のスプーンを収納可能な高さ隔てた下方に配置してなることを特徴とするものである。
【００２５】
この蓋付の容器によれば、前記容器の前記つば部を、当該容器の開口部上端より計量用のスプーンを収納可能な高さ隔てた下方に配置するようにしており、仕切り部材の上方に計量用のスプーンを収納することができ、内容物中に埋没することもなく、簡単に取り出すことができるようになる。
【００２６】
さらに、この発明の請求項７記載の蓋付の容器は、請求項５または６記載の構成に加え、前記蓋として、前記請求項１〜４のいずれかに記載の摺り切り具付の蓋を設けたことを特徴とするものである。
【００２７】
この蓋付の容器によれば、前記蓋として、前記請求項１〜４のいずれかに記載の摺り切り具付の蓋を設けるようにしており、容器口部から蓋の固定部分を取り外すことなく密封用の仕切り部材を取り除くことができ、しかも蓋の固定部分と一体に摺り切り具を形成しておくことができる摺り切り具付の蓋を備えるとともに、密封用の仕切り部材を取り付けるための環状のつば部を形成しても内容物を完全に取り出すことができる蓋付の容器にできるようになる。
【発明の効果】
【００２８】
この発明の請求項１記載の摺り切り具付の蓋によれば、容器の開口部近傍に不通気性の仕切り部材が備えられる容器に設けられ、周囲２点間を結ぶように摺り切り具が備えられて容器の開口部に設けられる摺り切り具付の蓋で、前記摺り切り具の一端部を係止し得る係止部を複数箇所備えた環状の固定枠体を容器の開口部に嵌合固定して設け、この固定枠体に前記摺り切り具の他端部を前記仕切り部材を取り外すときに退避可能に連結して形成するとともに、前記摺り切り具の一端部を前記固定枠体に切り離し可能に連結して形成する一方、この摺り切り具を前記仕切り部材の上方に収納して前記固定枠体を覆って開閉可能な蓋体を設けて構成したので、固定枠体を容器の口部に嵌合固定したまま一体に形成された摺り切り具の他端部を連結した状態で退避させて仕切り部材を取り外すことができるとともに、切り離した一端部を固定枠体の複数の係止部のいずれかに係止して周囲２点間を結んで配置することで摺り切り具として機能させることができ、これらを蓋体で覆うようにすることで、容器口部から固定枠体を取り外すことなく密封用の仕切り部材を取り除くことができ、しかも固定枠体と一体に摺り切り具を形成しておくことができる。
【００２９】
また、この発明の請求項２記載の摺り切り具付の蓋によれば、前記固定枠体と前記蓋体とをヒンジを介して開閉可能に連結して形成したので、蓋体も取り外して別置きにする必要がなく、置き場所を考慮することなく常に衛生的に保つことができるとともに、片手で開閉することができる。
【００３０】
さらに、この発明の請求項３記載の摺り切り具付の蓋によれば、前記摺り切り具の前記他端部を前記固定枠体の前記ヒンジ部近傍に配置するとともに、前記摺り切り具の一端部を係止する前記係止部を利き手に合わせて２箇所形成するようにしたので、摺り切り具を利き手に合わせて２箇所の係止部のいずれかに係止することで、利き手に合せて摺り切り具の位置を変えるために容器の向きなどを変えることなく、片手で蓋を開らいた状態のまま内容物を取り出して摺り切りを行うことができ、一層使い易くすることができる。
【００３１】
また、この発明の請求項４記載の摺り切り具付の蓋によれば、前記摺り切り具の前記他端部を、当該摺り切り具を上方に退避可能に前記固定枠体に連結して形成するようにしたので、固定枠体に一体に摺り切り具が形成してあっても一端部を切り離し、他端部を連結状態のまま上方に退避させて仕切り部材を取り除くことができ、切り離した一端部をいずれかに係止することで摺り切り具を固定枠体にセットすることができる。
【００３２】
さらに、この発明の請求項５記載の蓋付の容器によれば、開口部上端に蓋を備えた容器の開口部近傍に胴部を内方に突出させて不通気性の仕切り部材を取り付ける略水平なつば部を設けるとともに、このつば部の先端から下方に前記胴部になめらかに連続するくびれ部を設けて構成したので、ほぼ水平に突出させたつば部に仕切り部材を取り付けることができるとともに、このつば部より下方のくびれ部を円弧状や曲面状、傾斜面状などとしてなめらかに胴部と連続するようにしたので、内容物がつば部に引っかかることなく最後まで円滑に取り出すことができる。
【００３３】
また、この発明の請求項６記載の蓋付の容器によれば、前記容器の前記つば部を、当該容器の開口部上端より計量用のスプーンを収納可能な高さ隔てた下方に配置するようにしたので、仕切り部材の上方に計量用のスプーンを収納することができ、内容物中に埋没することもなく、簡単に取り出すことができる。
【００３４】
さらに、この発明の請求項７記載の蓋付の容器によれば、前記蓋として、前記請求項１〜４のいずれかに記載の摺り切り具付の蓋を設けるようにしたので、容器口部から蓋の固定部分を取り外すことなく密封用の仕切り部材を取り除くことができ、しかも蓋の固定部分と一体に摺り切り具を形成しておくことができるとともに、密封用の仕切り部材を取り付けるための環状のつば部を形成しても内容物を完全に取り出すことができる。
【発明を実施するための最良の形態】
【００３５】
以下、この発明の実施の形態を図面に基づき詳細に説明する。  
図１〜図３はこの発明の摺り切り具付の蓋および蓋付の容器の一実施の形態にかかり、図１（a）、（b）はこの発明の摺り切り具付の蓋の一実施の形態にかかる平面図および縦断面図、図２はこの発明の摺り切り具付の蓋の一実施の形態にかかる使用する場合の説明図、図３はこの発明の蓋付の容器の一実施の形態にかかる左半分を容器のみの状態で、右半分を蓋を付けた状態で示す断面図である。
【００３６】
この摺り切り具付の蓋２０は、容器として、例えば図２（a）、（c）に示すように、円筒形の缶Ｃに備えられ、その開口部Ｃ１に嵌合固定することができる合成樹脂製の環状の固定枠体２１を備えている。
【００３７】
この固定枠体２１は、図２(ｃ)中に蓋体２５を閉じた状態で拡大して示すように、缶Ｃの上端縁であるカール部Ｃ２に被せるようにして固定するための逆Ｕ字状の嵌合固定部２１ａが形成され、この摺り切り具付の蓋２０では、一旦、カール部Ｃ２に嵌合固定した後は、廃棄するまで一度も取り外す必要がないことから、強固に嵌合固定できるようにしてある。
【００３８】
このため、この嵌合固定部２１aでは、カール部Ｃ２を囲む外側の外側脚部２１ｂが缶Ｃの胴部に接するように長く形成してある。
【００３９】
さらに、図３中に示す嵌合固定部２１ａでは、カール部Ｃ２に被せる逆Ｕ字状の部分をカール部Ｃ２に密着する形状にするとともに、カール部Ｃ２を囲む内側の内側脚部２１ｃも缶Ｃの胴部内側に接するように長く形成してあり、一層強固に固定できるようにしてある。なお、本発明の蓋付の容器を使用した後に容器と蓋との分別廃棄を行うことを目的として、固定枠体２１に容器と蓋とを容易に分離できる手段を設けるようにしても良い。このような手段の例としては、固定枠体２１の所定の箇所に、スコア等により形成された破断可能な弱化部を設ける方法があげられる。
【００４０】
この固定枠体２１には、合成樹脂により一体に摺り切り具２２が形成してあり、図１，２に示すように、使用前の状態の摺り切り具２２が固定枠体２１を横断するように配置してある。
【００４１】
この摺り切り具２２の一端部２２ａが係止部２３を構成する略板状の係止凸部２３ａとされて略板状の先端面の一部が固定枠体２１に切り離すことができるように連結されて一体に成形してある。そして、摺り切り具２２の中間部２２ｂは横断面形状が略三角形などとされて固定枠体２１を横断し、他端部２２ｃは連結状態のままここを基点に摺り切り具２２を上方に退避させることができるように動かした後、さらに下方に戻して固定枠体２１の周囲２点間を結ぶ、例えば水平な弦となるように動かしても切り離れることがないように固定枠体２１と一体成形で連結してある。
【００４２】
また、この固定枠体２１には、摺り切り具２２の切り離される一端部２２ａである係止部２３の係止凸部２３ａを係止するための係止凹部２３ｂが摺り切り具２２の他端部２２ｃを基点に周囲２点間を結ぶ、例えば水平な弦状とする場合の位置に対応して一体に２箇所形成してある。
【００４３】
そして、これら２箇所の係止凹部２３ｂ、２３ｂは、摺り切り具２２の固定側である他端部２２ｃを基点として周囲２点間を結んで水平な弦状とした場合に、缶Ｃの内容物である粉ミルクなどを利き手で持ったスプーンなどで掬い取った後、そのまま摺り切るのに都合の良い２箇所としてある。
【００４４】
ここでは、例えば、図１に示すように、固定枠体２１にヒンジ２４で連結した蓋２５を設ける場合（詳細は、後述する）に、ヒンジ２４近傍に摺り切り具２２の固定側となる他端部２２ｃを配置し、可動側である一端部２１ａを、それぞれ他端部２２ｃを通る直径を中心として２０度程度中心からずらした状態に取り付けることができるように２箇所の係止凹部２３ｂＬ、２３ｂＲを形成してある。
【００４５】
そして、これら係止凹部２３ｂ、２３ｂは、図２(ｂ)中に拡大して示すように、水平部２３ｃと、直角な２辺の押え部２３ｄとで前方が開口した係止溝２３ｅが構成され、水平部２３ｃに沿って係止凸部２３ａを滑らせて斜め下方の係止溝２３ｅ内に押し込むようにすることで、係止凸部２３ａが係止凹部２３ｂの押え部２３ｄで押えられて係止されるようにしてある。
【００４６】
これにより、ヒンジ２４で連結した蓋２５を利き手で開けた後、利き手でスプーンSを持って粉ミルクなどを掬い取り、そのまま缶Ｃの位置を動かさずに摺り切りを行うことができる。
【００４７】
なお、摺り切り具２２の固定側となる他端部２２ｃと蓋２５のヒンジ部２４の位置とをほぼ接近させる場合に限らず、他の位置に他端部２２ｃを配置しても良く、また、２箇所の係止凹部２３ｂ、２３ｂの位置は、摺り切り具２２の長さを変えるようにすれば良く、これにより、摺り切り具２２の中心からの移動角度を変えることができる。
【００４８】
なお、この摺り切り具付の蓋が取り付けられる容器としては円筒状の缶に限らず、角筒状や多角筒状であっても良く、材質も金属に限らず合成樹脂などであっても良い。また、摺り切り具は、円形の場合には、周囲２点間を結ぶ弦状に配置するが、他の場合には、周囲２点間を結んで横断するように配置すれば良い。
【００４９】
このように構成した摺り切り具付の蓋２０の固定枠体２１は、不通気性のアルミシールＣ３が取り付けられた缶Ｃに強固に嵌合固定される。
【００５０】
このような固定枠体２１には、図１に示すように、一端部にヒンジなどの連結部２４が一体に形成されるとともに、この連結部２４の他端部に蓋体２５が一体に形成してある。
【００５１】
この蓋体２５は底付円筒状に形成されて固定枠体２１に被せて密閉できるようになっており、図１（ｂ）に示すように、その外周側壁２５ａの逆Ｕ字状の凹部を固定枠体２１の外周の段差部２１ｄに被せるように嵌合し、凹部外周壁２５ｂの内周面を段差部２１ｄの外周面に、凹部内周壁２５ｃの外周面を段差部２１ｄの外周面にそれぞれ接するようにすることで密閉状態にできるようにしてある。
【００５２】
また、この蓋体２５の天板部２５ｄには、中間部に内側に突き出して環状のリブ２５ｅが形成されるとともに、外周部には、内側に窪む段差部２５ｆが形成してあり、天板部２５ｄの剛性を高めることができるようにしてある。
【００５３】
さらに、段差部２５ｆの外周２５ｇは、缶Ｃの底部の巻き締め部の内径より僅かに小さくしてあり、積み重ねる（スタック）場合のずれを防止するようにしてある。
【００５４】
また、この蓋体２５のヒンジによる連結部１４の反対側には、下方に突き出した係止部２５ｈが円周に沿って形成してあり、固定枠体２１の対応する切り欠き部２１ｅに嵌り込むようになるとともに、外側脚部２１ｂに被せるようにして係
止され、蓋体２５を被せた状態を保持するようになっている。
【００５５】
さらに、この蓋体２５と固定枠体２１との間には、改ざんなどを防止するための改ざん防止機構（図中の２６は、位置のみを示す）が設けてあり、通常使用されている改ざん防止機構がそのまま使用でき、例えば、つまみ部の両側を薄肉部としておき、つまみ部をつまんで両側を切り取ることで分離して初めて開閉できるようにする。また、つまみ部の内側に係止部を設けて固定枠体２１に設けた係止部とで、一旦切り離した後に蓋体２５を閉じた状態に保持できるようにしてある。
【００５６】
なお、蓋体２５は、連結部２４としてのヒンジで連結された一体構造とする場合に限らず、別体としても良い。
【００５７】
このように構成した摺り切り具付の蓋２０では、使用開始時に、改ざん防止機構２６を切り取って蓋体２５を開けると、図１（ａ）に示すように、固定枠体２１の内周を横断するように摺り切り具２２が配置されて一端部２２ａは切り離し可能に、中間部２２ｂは、空間を横断した状態で、他端部２２ｃは連結状態のままそこを基点に一端部２２ａを上方に退避させた後に水平に戻して周囲２箇所の係止凹部２３ｂＬ、２３ｂＲのいずれかに周囲２点間を結ぶ弦状に係止することができるようになっている。
【００５８】
そこで、使用に当たっては、蓋体２５を開けた後、図２(ａ)に示すように、摺り切り具２２の一端部２２ａを切り離し、上方に回動して退避させ、この状態で不通気性のアルミシールＣ３を缶Ｃから取り除くことができる。
【００５９】
そして、アルミシールＣ３を缶Ｃから取り除いた後、上方に退避させた状態の摺り切り具２２を、同図(ｂ)に示すように、水平に戻して弦状に係止部２３の係止溝２３ｅに滑り込ませて係止することで、摺り切り具２２をセットすることができる。
【００６０】
このようにして摺り切り具２２を２つの係止凹部２３ｂＬ、２３ｂＲのいずれかにセットするが、図１（ａ）に示す状態に近い係止凹部２３ｂＲに摺り切り具２２をセットすると、右手に計量用のスプーンを持って掬い取った後そのまま摺り切るのに都合が良く、図２（ｂ）に示す状態の係止凹部２３ｂＬに摺り切り具２２をセットすると、こんどは、左手に計量用のスプーンを持って掬い取った後そのまま摺り切るのに都合が良い状態に摺り切り具２２をセットすることができる。
【００６１】
こうして使用を開始した後は、蓋体２５を開閉することで、保存用容器として使用することができ、例えば蓋体２５だけ持つようなことがあっても、固定枠体２１を製造ラインで強固に嵌合することができ、落下を完全に防止することができる。
【００６２】
また、蓋体２５を連結部２４としてのヒンジで固定枠体２１と連結してあるので、蓋体２５を外して別置きにする必要がなく、常に衛生的に保つことができ、特に使いはじめにも固定枠体２１と蓋体２５との蓋部全体を取り外す必要もなく衛生的である。
【００６３】
さらに、摺り切り具２２は固定枠体２１から他端部２２ｃだけを切り離して２箇所の係止凹部２３ｂＬ、２３ｂＲのいずれかに取り付けるだけであり、蓋部分全体を一旦取り外してから再び取り付けるのに比べ、わずかな力で簡単に使い始めの準備ができるとともに、利き手に合わせて都合の良い位置に摺り切り具２２をセットすることができる。
【００６４】
また、この摺り切り具付の蓋２０によれば、摺り切り具２２の中間部２２ｂの横断面形状を三角形などとして剛性を高めてあるので、摺り切る場合のたわみを抑えることができる。
【００６５】
なお、上記の実施の形態では、摺り切り具の横断面形状を三角形としたが、これらに限らず矩形や円形、あるいはＴ字状など他の横断面形状であっても良く、摺り切りやすく、しかも固定枠体と一体に成形できるものであれば良い。
【００６６】
また、この摺り切り具付の蓋２０には、図３に示すように、蓋体２５の中心部内側に、計量用のスプーンＳを着脱できるように取り付けるスプーン固定部２７を一体に形成しても良く、計量用のスプーンＳを缶Ｃ内に落とした状態として粉ミルクなどの内容物と一緒に保管する場合に比べ、取り扱いが容易になるとともに、衛生的である。
【００６７】
次に、この発明の蓋付の容器の一実施の形態について、図３を参照しながら詳細に説明する。  
この蓋付の容器３０は、例えば容器としての円筒状の金属製の缶と、缶の開口部に取り付けられる合成樹脂製などの蓋と、蓋の下方の缶内に設けられるアルミシールなどの不通気性の仕切り部材とを備えて構成される。
【００６８】
容器としての缶３１は、円筒状の胴部３２と、この円筒状の胴部３２の底部を塞ぐ底板部３３とを備え、胴部３２の下端の外周縁と底板部３３の外周縁とが巻き締められて密封できるようになっている。この胴部３２と底板部３３との巻き締めは、缶の製造工程では行われず、通常、内容物を底部から充填した後に充填工程で行われる。
【００６９】
この缶３１の胴部３２には、開口部３２ａの上端の外周縁に巻き締め部３４が形成されて外側に膨らむようになっており、この巻き締め部３４を利用して蓋を取り付けることができるようにしてある。
【００７０】
この缶３１の開口部３２ａの上端の巻き締め部３４に取り付ける蓋としては、開閉できるものであればどのようなものでも良いが、既に図１および図２で説明した摺り切り具付の蓋２０を用いることで、開閉を片手で行うことができ、しかも缶から取り外すことなく、アルミシールなどの仕切り部材を取り外すことができるとともに、粉ミルクなどを掬い取った後の摺り切りも利き手に合わせてセットした摺り切り具でできるなどの利点があり、粉ミルクなどの保存容器の蓋として好ましい。
【００７１】
また、この缶３１の胴部３２の開口部３２ａの近傍、例えば上端より下方には、胴部３２を内側に突き出すようにネックイン加工が施されて略水平に形成したつば部３５と、このつば部３５の先端からなめらかな曲面で胴部３２に連続するくびれ部３６とが一体に成形してあり、つば部３５と胴部３２との接続部やつば部３５とくびれ部３６との接続部、さらにはくびれ部３６と胴部３２との接続部のいずれもなめらかな曲面で連続するようにしてある。
【００７２】
これにより、水平な環状のつば部３５の上面に不通気性のアルミシールなどの仕切り部材３７をヒートシールなどで密封することができる。
【００７３】
また、滑らかに連続するくびれ部３６によって内容物を取り出す場合につば部３５の内側に粉ミルクなどの内容物が引っかかることを防止して完全に取り出すためのガイドとすることができるとともに、胴部３２にくびれ部３６が存在することで持ち易くなり、例えば通常の缶詰などの缶に比べて直径が１５０ｍｍ程度の大口径缶であっても取り扱いが容易となる。
【００７４】
さらに、この缶３１では、つば部３６の位置を、胴部３２の開口部３２ａ上端より計量用のスプーンＳを収納できる高さを確保した下方の位置としており、この空間にスプーンＳを収納することで、 計量用のスプーンＳを缶Ｃ内に落とした状態として粉ミルクなどの内容物と一緒に保管する場合に比べ、取り扱いが容易になるとともに、衛生的である。
【００７５】
なお、胴部に形成するつば部の突き出し量（内径）やくびれ部の大きさは、少なくとも仕切り部材の取り付けに必要な大きさが確保できれば良く、さらにくびれ部を大きくすれば、一層持ち易く取り扱いが容易となる。
【００７６】
また、この実施の形態では、容器として金属缶に適用する場合で説明したが、金属製に限らず、合成樹脂製などであっても良く、形状も円筒形に限らず、多角形など他の形状であっても良い。
【図面の簡単な説明】
【００７７】
【図１】この発明の摺り切り具付の蓋の一実施の形態にかかる平面図および縦断面図である。
【図２】この発明の摺り切り具付の蓋の一実施の形態にかかる使用する場合の説明図である。
【図３】この発明の蓋付の容器の一実施の形態にかかる左半分を容器のみの状態で、右半分を蓋を付けた状態で示す断面図である。
【図４】従来の摺り切り具付の蓋の概略斜視図である。
【図５】従来の他の摺り切り具付の蓋の概略斜視図である。
【図６】従来の容器の部分拡大断面図である。
【図７】従来の容器の一部分を切り欠いて示す部分断面図である。
【符号の説明】
【００７８】
２０            摺り切り具付の蓋
２１            固定枠体
２１ａ          嵌合固定部
２１ｂ          外側脚部
２１ｃ          内側脚部
２１ｄ          段差部
２１ｅ          切り欠き部
２２            摺り切り具
２２ａ          一端部
２２ｂ          中間部
２２ｃ          他端部
２３            係止部
２３ａ          係止凸部
２３ｂ          係止凹部
２３ｂＬ        左利き用の係止凹部
２３ｂＲ        右利き用の係止凹部
２３ｃ          水平部
２３ｄ          押え部
２３ｅ          係止溝
２４            連結部(ヒンジ)
２５            蓋体
２５ａ          外周側壁
２５ｂ          凹部外周壁
２５ｃ          凹部内周壁
２５ｄ          天板部
２５ｅ          リブ
２５ｆ          段差部
２５ｇ          段差部の外周
２５ｈ          係止部
２６            改ざん防止機構
２７            スプーン固定部
Ｃ              缶（容器）
Ｃ１            開口部
Ｃ２            カール部
Ｃ３            アルミシール
Ｃ４            つまみ
Ｓ              スプーン
３０            容器
３１            缶
３２            胴部
３２ａ          開口部
３３            底板部
３４            巻き締め部
３５            つば部
３６            くびれ部
３７            仕切り部材(アルミシール)
【図１】
2005145542.tif 000003
【図２】
2005145542.tif 000004
【図３】
2005145542.tif 000005
【図４】
2005145542.tif 000006
【図５】
2005145542.tif 000007
【図６】
2005145542.tif 000008
【図７】
2005145542.tif 000009